(57)【要約】【課題】  スピーカボックス内にスピーカユニットを備え、入力されたオーディオ信号を出力するスピーカ装置において、スピーカ装置の外観を損なうことなく、放射する音波の周波数特性を簡単に変化させることができるスピーカ装置を提供する。【解決手段】  スピーカボックスは下面に貫通孔を形成し、スピーカボックスを載置するスタンドと、スタンドの内部に配設され上方が貫通孔に連通する位置に開口する空洞部と、空洞部からスタンドの前面に貫通する第１の雌ネジ部と、第１の雌ネジ部と異なる高さの位置に配設され空洞部からスタンドの前面に貫通する第２の雌ネジ部と、第１の雌ネジ部及び第２の雌ネジ部にそれぞれねじ込まれる雄ネジとを備える。【選択図】      図１
2008205751.tif 000002
【特許請求の範囲】
【請求項１】
スピーカボックス内にスピーカユニットを備え入力されたオーディオ信号を出力するスピーカ装置において、
前記スピーカボックスは下面に貫通孔を形成し、
前記スピーカボックスを載置するスタンドと、
前記スタンドの内部に配設され上方が前記貫通孔に連通する位置に開口する空洞部と、
前記空洞部から前記スタンドの前面に貫通する第１の雌ネジ部と、
前記第１の雌ネジ部と異なる高さの位置に配設され前記空洞部から前記スタンドの前面に貫通する第２の雌ネジ部と、
前記第１の雌ネジ部及び前記第２の雌ネジ部にそれぞれねじ込まれる雄ネジとを備えることを特徴とするスピーカ装置。
【請求項２】
請求項１記載のスピーカ装置において、
前記雄ネジは、前記第１の雌ネジ部及び前記第２の雌ネジ部のうちいずれか１の雌ネジ部にねじ込まれることを特徴とするスピーカ装置。
【発明の詳細な説明】
【技術分野】
【０００１】
本発明は、スピーカボックス内にスピーカユニットを備え入力したオーディオ信号を出力するスピーカ装置に関する。
【背景技術】
【０００２】
従来、スピーカボックス内にスピーカユニットを備え、オーディオ信号再生装置等の機器から入力されたオーディオ信号を出力するスピーカ装置が知られている。
【０００３】
図５は、従来のスピーカ装置の一例を示す斜視図である。
図６は、従来のスピーカ装置１００を示す断面図である。
従来のスピーカ装置１００は、スピーカユニット２、ダクト４、入力端子６、導電ケーブル７及びスピーカボックス３００を備える。スピーカボックス３００は、木材から成る箱型を形成し、前面に開口する孔３０１及び孔３０２を備える。スピーカユニット２は、図示しない金具等から成る固定部材により、スピーカボックス３００の孔３０１の位置に固定される。ダクト４は、前後に開口する筒型を成す。ダクト４の前端は、図示しない金具等から成る固定部材により、スピーカボックス３００の孔３０２の位置に固定される。
【０００４】
入力端子６は、スピーカボックス３００の裏面に固定され、オーディオ信号増幅装置と接続される。オーディオ信号増幅装置は、ＣＤ（Compact Disk）再生装置等のオーディオ信号再生装置と接続し、入力端子６にオーディオ信号を入力する。導電ケーブル７は、入力端子６とスピーカユニット２に接続され、入力端子６から入力されたオーディオ信号をスピーカユニット２へ入力する。スピーカユニット２は、入力されたオーディオ信号を音波として出力する。
【０００５】
スピーカユニット２は、ダイナミック型スピーカ（Dynamic type speaker）から成り、図示しないマグネット、ボイスコイル及びコーン振動板を備える。スピーカユニット２は、オーディオ信号が入力されると、マグネットとボイスコイルによりコーン振動板を振動させ、音波を放射する。スピーカユニット２の裏面から放射された音波は、スピーカボックス３００の内部で反射する。ダクト４は、スピーカボックス３００の内部で反射した音波を前方へ放射する。
【０００６】
以上により、スピーカ装置１００は、入力端子６から入力されたオーディオ信号を音波として放射する。
【０００７】
スピーカユニット２のコーン振動板の後方から放射される音波は、コーン振動板の前方から放射された音波の逆位相となる。このため、例えば、スピーカボックス３へスピーカユニット２を固定しないで取り付けられた状態で、スピーカユニット２から音波を放射した場合、コーン振動板の前方から放射される正位相の音波とコーン振動板の後方から放射される逆位相の音波が互いに干渉し、低域の周波数帯域の音波が減少してしまう。スピーカ装置１００は、スピーカユニット２をスピーカボックス３へ固定して取り付けることにより、コーン振動板の後方から放射される逆位相の音波がコーン振動板の前方から放射される音波と干渉するのを防止する。また、スピーカ装置１００は、コーン振動板の後方から放射された低域の周波数帯域の音波がスピーカボックス内部で共振し、この共振した音波がスピーカボックスを振動させることによって、スピーカ装置１００から放射される音波の低域の周波数帯域を増大させることができる。このようなスピーカ装置１００が放射する音波の周波数特性は、スピーカボックス内部の容量が大きくなるのに伴い、低域の周波数帯域が増大された周波数特性となる。
【０００８】
また、スピーカ装置１００は、スピーカユニット２の後面から放射された音波をスピーカボックス３００の内部で反射させることにより、この音波の位相を反転させ、この位相を反転させた音波をダクト４からスピーカ装置１００の前方へ放射させる。このことにより、コーン振動板の前方から放射される音波と同じ位相の音波をダクト４からスピーカ装置１００の前方へ放射することによって、スピーカボックス内部の容量が小さい小型なスピーカ装置であっても放射させた音波の低域の周波数帯域を増大させることができる。このようなスピーカ装置１００から放射される音波の周波数特性は、スピーカボックス３００の内部で反射された音波を前方へ放射するダクト４の長さや内径によって変化する。
【０００９】
スピーカボックス内部の容量が小さい小型なスピーカ装置であっても低域の周波数帯域を増大することが可能なスピーカ装置として、スピーカ装置を載置するスピーカスタンドの内部をダクトとして利用するスピーカ装置が知られている（例えば、特許文献１参照。）。このように、スピーカボックスの容量が小さい場合であっても、スピーカボックスの内部からスピーカスタンドの下方まで延びたダクトを備えることによって、低域の周波数帯域が増大された周波数特性の音波を出力することが可能なスピーカ装置とすることができる。
【００１０】
【特許文献１】特開２０００−１６５９７３号公報
【発明の開示】
【発明が解決しようとする課題】
【００１１】
オーディオ信号再生装置により再生した音楽を従来のスピーカ装置により聴取しようとする場合、聴取者は、スピーカ装置から放射される音楽の周波数特性を好みの周波数特性に変化させたい場合がある。この場合、ダクトの内側に他の部材を挿入したり、ダクトを前方から塞いだりすることによって、放射される音楽の周波数特性を変化させる。
【００１２】
しかしながら、ダクトの前方から他の部材を挿入したり、ダクトを塞いでしまうと、前方からダクトに挿入した部材が露出してしまい、スピーカ装置の外観が損なわれる。また、ダクトに他の部材を挿入した後、例えば、聴取者がスピーカ装置１００から放射される音楽の周波数特性を元の周波数特性に戻したいと希望した場合、他の部材をダクトから取り出す作業に手間が掛かってしまう。また、ダクトの前方から他の部材をスピーカボックス３の奥まで挿入してしまった場合、スピーカボックス３から他の部材を取り出せなくなってしまい、スピーカ装置１００が放射する音楽の周波数特性を元の周波数特性に戻すことができなくなることがある。
【００１３】
このように、従来のスピーカ装置１００は、放射する音楽の周波数特性を聴取者が希望する周波数特性へ簡単に変化させることが困難であった。
【００１４】
本発明は、スピーカボックス内にスピーカユニットを備え、入力されたオーディオ信号を出力するスピーカ装置において、スピーカ装置の外観を損なうことなく、放射する音波の周波数特性を簡単に変化させることができるスピーカ装置を提供することを目的とする。
【課題を解決するための手段】
【００１５】
本願の第一の態様における発明は、スピーカボックス内にスピーカユニットを備え入力されたオーディオ信号を出力するスピーカ装置において、前記スピーカボックスは下面に貫通孔を形成し、前記スピーカボックスを載置するスタンドと、前記スタンドの内部に配設され上方が前記貫通孔に連通する位置に開口する空洞部と、前記空洞部から前記スタンドの前面に貫通する第１の雌ネジ部と、前記第１の雌ネジ部と異なる高さの位置に配設され前記空洞部から前記スタンドの前面に貫通する第２の雌ネジ部と、前記第１の雌ネジ部及び前記第２の雌ネジ部にそれぞれねじ込まれる雄ネジとを備えることを特徴とする。
【００１６】
上記スピーカ装置において、前記雄ネジは、前記第１の雌ネジ部及び前記第２の雌ネジ部のうちいずれか１の雌ネジ部にねじ込まれるようにしてもよい。
【発明の効果】
【００１７】
本発明のスピーカ装置によれば、スピーカボックス内にスピーカユニットを備え、入力されたオーディオ信号を出力するスピーカ装置において、スピーカ装置の外観を損なうことなく、放射する音波の周波数特性を簡単に変化させることができるスピーカ装置を提供することができる。
【発明を実施するための最良の形態】
【００１８】
本発明の実施の形態を図面を参照して説明する。なお、従来技術で示した構成要素と同一の部分については同符号を用いる。
【００１９】
図１は、本発明の一実施例のスピーカ装置の構成を示す斜視図である。
スピーカ装置１は、スピーカユニット２、スピーカボックス３、雄ネジ５、入力端子６、導電ケーブル７及びスタンド部２０を備える。
【００２０】
スピーカボックス３は、木材から成り、箱型の形状をしている。スピーカボックス３は、前面に開口する孔３０１を備え、下面に下方に貫通する孔３０３を備える。スピーカユニット２の外周は、図示しない金具等から成る固定部材により、スピーカボックス３の孔３０１の位置に固定される。
【００２１】
スタンド部２０は、細長い箱型を形成し、上端に上面が平面を成す腕部２０３を備える。スピーカボックス３は、腕部２０３の上面に載置される。スタンド部２０は、下方部分に外周がスタンド部２０より大きい底面部２０２を備え、腕部２０３にスピーカボックス３が載置されている状態でスタンド部２０が転倒しないようになっている。
【００２２】
スタンド部２０は、上面の略中央の位置に上方へ開口する空洞部２０１を備える。空洞部２０１は、スピーカボックス３を腕部２０３に載置した状態でスピーカボックス３の孔３０３の位置と略同一の位置となるよう配設される。
【００２３】
スタンド部２０は、上方部分に空洞部２０１から前面に貫通する第１の雌ネジ部２０４を備える。また、スタンド部２０は、第１の雌ネジ部２０４より下方となる位置に空洞部２０１から前面に貫通する第２の雌ネジ部２０５を備える。雄ネジ５は、第１の雌ネジ部２０４及び第２の雌ネジ部２０５にねじ込まれることにより、第１の雌ネジ部２０４及び第２の雌ネジ部２０５に固定される。また、雄ネジ５は、第１の雌ネジ部２０４及び第２の雌ネジ部２０５に固定された状態からねじ込みを緩ませることにより、第１の雌ネジ部２０４及び第２の雌ネジ部２０５から取り外しが可能となる。
【００２４】
入力端子６は、スピーカボックス３の裏面に固定され、オーディオ信号増幅装置と接続される。オーディオ信号増幅装置は、ＣＤ再生装置等のオーディオ信号再生装置と接続し、入力端子６にオーディオ信号を入力する。導電ケーブル７は、入力端子６とスピーカユニット２に接続され、入力端子６から入力されたオーディオ信号をスピーカユニット２へ入力する。
【００２５】
スピーカユニット２は、ダイナミック型スピーカから成り、図示しないマグネット、ボイスコイル及びコーン振動板を備える。スピーカユニット２は、オーディオ信号が入力されると、マグネットとボイスコイルによりコーン振動板を振動させ、音波を放射する。スピーカユニット２から放射された音波は、スピーカボックス３の内部で反射する。孔３０３は、スピーカボックス３の内部で反射した音波をスピーカボックス３の外部へ放射する。
【００２６】
以上により、スピーカ装置１は、入力端子６から入力されたオーディオ信号を音波とし
て放射する。
【００２７】
図２は、第１の雌ネジ部２０４に雄ネジ５固定しないで第２の雌ネジ部２０５にのみ雄ネジ５を固定した状態でスピーカ装置１が音波を放射している状態を示す断面図である。
【００２８】
図２に示すように、第１の雌ネジ部２０４に雄ネジ５固定しないで第２の雌ネジ部２０５のみに雄ネジ５をねじ込んで固定した状態でスピーカユニット２が音波を放射すると、スピーカボックス３の内部で反射した音波は、孔３０３及び空洞部２０１を介して第１の雌ネジ部２０４からスピーカ装置１の前方へ放射される。
【００２９】
図３は、第２の雌ネジ部２０５に雄ネジ５固定しないで第１の雌ネジ部２０４にのみ雄ネジ５を固定した状態でスピーカ装置１が音波を放射している状態を示す断面図である。
【００３０】
図３に示すように、第２の雌ネジ部２０５に雄ネジ５固定しないで第１の雌ネジ部２０４のみに雄ネジ５をねじ込んで固定した状態でスピーカユニット２が音波を放射すると、スピーカボックス３の内部で反射した音波は、孔３０３及び空洞部２０１の上方部分を介して第２の雌ネジ部２０５からスピーカ装置１の前方へ放射される。
【００３１】
孔３０３から第２の雌ネジ部２０５までの長さは、孔３０３から第１の雌ネジ部２０４までの長さより長い。このため、図２に示すように、第１の雌ネジ部２０４に雄ネジ５を固定しないで第２の雌ネジ部２０５にのみ雄ネジ５を固定した状態でスピーカユニット２が音波を放射した場合と比較して、図３に示すように、第２の雌ネジ部２０５に雄ネジ５を固定しないで第１の雌ネジ部２０４にのみ雄ネジ５を固定した状態でスピーカユニット２が音波を放射した場合のほうが、スピーカボックス３の内部で反射した音波がスピーカ装置１の前方に放射されるタイミングが遅くなる。このため、図２に示すように、第２の雌ネジ部２０５にのみ雄ネジ５を固定した状態でスピーカユニット２が音波を放射した場合と、図３に示すように、第１の雌ネジ部２０４にのみ雄ネジ５を固定した状態でスピーカユニット２が音波を放射した場合とでは、スピーカ装置１が放射する音波の周波数特性が変化する。
【００３２】
図４は、第１の雌ネジ部２０４及び第２の雌ネジ部２０５にそれぞれ雄ネジ５を固定した状態でスピーカ装置１が音波を放射している状態を示す断面図である。
【００３３】
図４に示すように、第１の雌ネジ部２０４及び第２の雌ネジ部２０５にそれぞれ雄ネジ５を固定した状態でスピーカユニット２が音波を放射すると、スピーカボックス３の内部で反射した音波がスピーカボックス３の外部へ放射されなくなる。このことによって、図２及び図３に示すように、第１の雌ネジ部２０４と第２の雌ネジ部２０５のうち、いずれかの雌ネジ部から雄ネジ５を取り外した状態でスピーカユニット２が音波を放射した場合と比較して、図４に示すように、第１の雌ネジ部２０４及び第２の雌ネジ部２０５の両方にそれぞれ雄ネジ５を固定した状態でスピーカユニット２が音波を放射した場合とでは、スピーカ装置１が放射する音波の周波数特性が変化する。
【００３４】
以上の構成により、本実施例のスピーカ装置１は、第１の雌ネジ部２０４に雄ネジ５を固定しないで第２の雌ネジ部２０５にのみ雄ネジ５を固定するか、また、第２の雌ネジ部２０５に雄ネジ５を固定しないで第１の雌ネジ部２０４にのみ雄ネジ５を固定するか、また更に、第１の雌ネジ部２０４及び第２の雌ネジ部２０５の両方にそれぞれ雄ネジ５を固定した状態とするかを選択することによって、スピーカ装置１が放射する音波の周波数特性を自在に変化させることができる。
【００３５】
また、図示しないが、本実施例のスピーカ装置１は、第１の雌ネジ部２０４及び第２の雌ネジ部２０５のどちらにも雄ネジ５を固定しない状態とすることによって、スピーカボックス３の内部で反射した音波が第１の雌ネジ部２０４と第２の雌ネジ部２０５の両方からスピーカ装置１の前方へ放射されることにより、スピーカ装置１が放射する音波の周波数特性を更に変化させることができる。
【００３６】
本実施例のスピーカ装置１は、雄ネジ５を固定する位置を第１の雌ネジ部２０４のみとするか、また、第２の雌ネジ部２０５にのみとするか、また、第１の雌ネジ部２０４と第２の雌ネジ部２０５の両方とするか、更に第１の雌ネジ部２０４と第２の雌ネジ部２０５のどちらにも雄ネジ５を固定しないようにするかを選択することによって、スピーカ装置１が放射する音波の周波数特性を簡単に変化させることができるので、従来のスピーカ装置のように、ダクトに他の部材を挿入したり、また、挿入した他の部材をダクトから取り出す作業に手間が掛かってしまうことがない。また、従来のスピーカ装置のように、スピーカ装置が放射する音波の周波数特性を変化させるためにダクトに他の部材を挿入する必要がないので、スピーカ装置１の外観が損なわれてしまうことがない。
【００３７】
本実施例のスピーカ装置１は、スタンド部２０に第１の雌ネジ部２０４と第２の雌ネジ部２０５の２つの雌ネジ部を備える構成としたが、例えば、スタンド部に３つ以上の雌ネジ部を備える構成としてもよい。このことにより、スタンド部に備えた３つ以上の雌ネジ部のいずれかに雄ネジを固定するか否かを選択することによってスピーカ装置が放射する音波の周波数特性を更に詳細に変化させることができる。
【図面の簡単な説明】
【００３８】
【図１】本発明の一実施例のスピーカ装置の構成を示す斜視図。
【図２】第１の雌ネジ部２０４に雄ネジ５固定しないで第２の雌ネジ部２０５にのみ雄ネジ５を固定した状態でスピーカ装置１が音波を放射している状態を示す断面図。
【図３】第２の雌ネジ部２０５に雄ネジ５固定しないで第１の雌ネジ部２０４にのみ雄ネジ５を固定した状態でスピーカ装置１が音波を放射している状態を示す断面図。
【図４】第１の雌ネジ部２０４及び第２の雌ネジ部２０５にそれぞれ雄ネジ５を固定した状態でスピーカ装置１が音波を放射している状態を示す断面図。
【図５】従来のスピーカ装置の一例を示す斜視図。
【図６】従来のスピーカ装置１００を示す断面図。
【符号の説明】
【００３９】
１  スピーカ装置、２  スピーカユニット、３  スピーカボックス、３０１  孔、
３０３  孔、５  雄ネジ、６  入力端子、７  導電ケーブル、
２０  スタンド部、２０１  空洞部、２０２  底面部、２０３  腕部、
２０４  第１の雌ネジ部、２０５  第２の雌ネジ部、
１００  スピーカ装置、３００  スピーカボックス、３０２  孔、４  ダクト
【図１】
2008205751.tif 000003
【図２】
2008205751.tif 000004
【図３】
2008205751.tif 000005
【図４】
2008205751.tif 000006
【図５】
2008205751.tif 000007
【図６】
2008205751.tif 000008